(57)【要約】【課題】  ブレスレット等を一人で装着する時に、滑りやすく、揺れ動いて接合が困難な作業を容易にする手段が要求されていた。【解決手段】  先端が開き挟み部が膨らんでいて、尚且つ一片に押え棒を設けたクリップでップで被接合部を固定する。一方が固定されているのでもう一方の接合部を合体させるのが容易になる。【選択図】図１
2014131732.tif 000002
【特許請求の範囲】
【請求項１】
手首に沿うように湾曲した２片の挟持片で手首を挟持するクリップ機能を構成し、前記挟持片の少なくとも１挟持片の先端にブレスレット等の一端を手首に押し付け固定する突起部が設けられていることを特徴としたブレスレット等の装着補助具。
【請求項２】
手首に添うようにバネ特性のある樹脂等で挟持片部を一体形成し、挟持片の先端に、ブレスレット等の一端を手首に押し付け固定する突起部が設けられていることを特徴としたブレスレット等の装着補助具。
【請求項３】
相対した２片の挟持片で髪を束ねる機能を持つ髪留め（バレッタ）等の、挟持片の一部にブレスレット等の一端を手首に押し付け固定する突起部が設けられていることを特徴としたブレスレット装着補助具。
【請求項４】
上記請求項記載の突起部が、収納可能で且つ滑り止め加工が施されていることを特徴としたブレスレット等の装着補助具。
【発明の詳細な説明】
【技術分野】
【０００１】  本発明はブレスレットや腕時計などを装着する際に、接合部と被接合部とを合体させる時に使用する装着補助具に関するものである。
【背景技術】
【０００２】  例えば、ブレスレットは一般的に、本体を手首にかけもう一方の手で接合部と被接合部を合体させるが、滑って落ちやすく、又揺れ動くので接合が極めて困難であった。そのため第三者に委ねることもあった。【０００３】  上記の問題を解消するのに、磁石等で接合したり、ゴム紐等で環状にしたものもあるが、知らない間に落としてしまったり、装身具としては見劣りを拭えなかった。
【発明の概要】
【発明が解決しようとする課題】
【０００４】  そこで、第三者の手を煩わせず、滑り落ちやすく揺れ動いているブレスレット等を容易に固定させ、片手で容易に合体させる装着補助具を提供するものである。
【発明を解決するための手段】
【０００５】  前記の装着補助具は、手首に添うように湾曲した２片の挟持片で手首を挟持するクリップ機能を構成し、該挟持片の少なくともＩ挟持片の先端にブレスレット等の一端を手首に押し付け固定する突起部が設けられているものである。  尚、本願で言うクリップ機能とは、２片の挟持片を拡縮する為に、図１のように巻バネとか図５のように輪バネ等を使用して摘み部で拡縮させるものとか、又は、図６のようにバネの特性を持った素材で２片の挟持部を一体化させ、、挟持片部を拡縮するものをいう。又は図７のように相対する２片の挟持片で髪を束ねる髪留め（バレッタ）式のものも含まれる。
従って、本願で言うクリップ機能とは挟持片が拡縮可能にして手首を握る機能（挟持する機能）であればよい。
【０００６】  挟持片に設けた突起部は、滑り止め加工を施し、折りたたみ構造にして突出を可変にする。
【発明の効果】
【０００７】  ブレスレット等の被接合部を突起部で手首に押し付けて固定させるので容易に接合部を被接合部に合体でき、第三者の手を煩わせることなく自分一人での装着が容易になる。
又、突起部を収納可変にすれば、危険防止にも役立ち、髪留めにも支障がない。クリップ機構なので容易に取り付けたり外したりができ、さらに小さくて軽いので携帯にも便利である。該装着補助具はブレスレットのみならず、腕時計その他にも使用できる。
髪留め（バレッタ）式にすればブレスレット等の装着後は髪留め（バレッタ）としてそのまま使えるので、挟持片に貴石などで装飾すれば高級な装身具としても使用できる。
【図面の簡単な説明】
【０００８】
【図１】本願の第一実施例を示す図である。
【図２】第一実施例の使用状態を示す図である。
【図３】第一実施例の使用状態を示す図である。
【図４】ブレスレットが手首に装着された状態を示す図である。
【図５】本願の第二実施例を示す図である。
【図６】本願の第三実施例を示す図である。
【図７】本願の第四実施例を示す図である。
【図８】第四実施例の使用状態を示す図である。
【図９】第四実施例の使用状態を示す図である。
【図１０】ブレスレットが手首に装着された状態を示す図である。
【図１１】髪留め（バレッタ）としての使用状態を示す図である。
【発明を実施するための形態】
【０００９】  本願のブレスレット等の装着補助具（１）の第一実施例を図１に示す。
２片の挟持片（２）を手首に沿うように湾曲に成形し、該２片の挟持片を支点で軸支（３）させて巻バネ（４）を装着し、先端の拡縮を操作する摘み部（５）を設けてクリップ機能を構成した。尚、一片の挟持片にはブレスレットを押える突起部として押え棒（６）と滑り止めの工夫も施した。
【００１０】  本願のブレスレット等の装着補助具の第二実施例を図５に示す。
第二実施例は、第一実施例の巻バネを輪バネ（７）にして、図のように支点部を互いに嵌合させて摘み部で拡縮操作する。又、突起部は押え棒を折りたたみ収納できるように軸支した。
【００１１】  本願のブレスレット等の装着補助具の第三実施例を図６に示す。
バネ特性のある樹脂で図６のように２片の挟持片部（２）と突起部（９）とを一体成形したものである。尚、本願の本実施例のような形状をした装着補助具には、バネ特性のある素材であれば金属あるいはゴム製でもよく、クリップ機能を構成できればよい。
【００１２】  本願の第四実施例を図７に示す。
２片の挟持片（２′）を髪を束ねられるように相対させ、該２片の挟持片を支点で軸支巻バネを装着し、先端の拡縮を操作する摘み部を設けてクリップ機能を構成する。さらに１片の挟持片にブレスレットを押える突起部として押え棒を施す。該２片を手首に噛ませ押え棒で被接合部を押える。装着した後は髪留め（バレッタ）として使用する。
【００１３】  本願のブレスレット等の装着補助具（１）の使用方法を図に基づき説明する。
図２のように、ブレスレット（１０）の被接合部（１１）を手前にして手首にかけ、装着補助具（１）の押え棒（６）を出して摘み部（５）を操作して挟持片（２）の先端を開け、押え棒でブレスレットの被接合部を押える。
被接合部が固定されているところへ接合部（１２）を合わせ合体させる。その後、該装着補助具（１）を外せば、ブレスレットの装着が完了する。
図７の髪留め（バレッタ）式のブレスレット装着補助具（１３）は装着完了後、髪留めとしてそのまま利用できる。
【符号の説明】
【００１４】  １  ブレスレットの装着補助具
２  挟持片部
２′挟持片部（バレッタ）
３  支点の軸支部
４  巻バネ
５  摘み部
６  突起部の押え棒
７  輪バネ
８  ブレスレット
９  被接合部
１０  接合部
１１  髪留め（バレッタ）式ブレスレットの装着補助具
【図１】
2014131732.tif 000003
【図２】
2014131732.tif 000004
【図３】
2014131732.tif 000005
【図４】
2014131732.tif 000006
【図５】
2014131732.tif 000007
【図６】
2014131732.tif 000008
【図７】
2014131732.tif 000009
【図８】
2014131732.tif 000010
【図９】
2014131732.tif 000011
【図１０】
2014131732.tif 000012
【図１１】
2014131732.tif 000013